(57)【要約】【課題】実施形態の課題は、ブルーライトを低減しつつ、高い表示品位を維持可能な液晶表示装置を提供することにある。【解決手段】実施形態に係る表示装置は、表示面を有する表示パネル１２と、表示パネルの表示面に対向する出射面および前記出射面と交差した入射面ＥＦを有する導光板ＬＧと、入射面に光を入射する光源３８と、を有する照明装置と、光源と入射面との間に設けられ、所定波長範囲の光の透過を抑制するライトカット層ＢＣと、を備えている。【選択図】  図２Ａ
2019109429.tif 000002
【特許請求の範囲】
【請求項１】
表示面を有する表示パネルと、
前記表示パネルの表示面に対向する出射面および前記出射面と交差した入射面を有する導光板と、前記入射面に光を入射する光源と、を有する照明装置と、を備え、
該照明装置は、前記光源と前記入射面との間に設けられ、所定波長範囲の光の透過を抑制するライトカット層を備えている、
表示装置。
【請求項２】
前記ライトカット層は、波長３８０〜４９５ｎｍの光の透過を抑制するブルーライトカット層である請求項１に記載の表示装置。
【請求項３】
前記ライトカット層は、前記入射面上に形成されている請求項１又は２に記載の表示装置。
【請求項４】
前記ライトカット層は、前記光源の発光面上に形成されている請求項１又は２に記載の表示装置。
【請求項５】
前記光源は、それぞれ前記入射面に対向する発光面を有する複数の発光素子を備え、
前記ライトカット層は、少なくとも１つの発光素子の発光面上に形成されている請求項４に記載の表示装置。
【請求項６】
前記ライトカット層は、シート状に形成され、前記光源と入射面との間に配置されている請求項１又は２に記載の表示装置。
【請求項７】
前記表示パネルは、外光を反射する反射膜を有する第１基板と、前記第１基板に対向配置された第２基板と、前記第１基板と第２基板との間に保持された液晶層と、を備え、
前記照明装置の導光板は、前記第２基板の外面に対向して配置されている請求項１から６のいずれか１項に記載の表示装置。
【請求項８】
前記表示パネルは、外光を反射する反射膜を有する第１基板と、前記第１基板に対向配置された第２基板と、前記第１基板と第２基板との間に保持された電気泳動素子と、を備え、
前記照明装置の導光板は、前記第２基板の外面に対向して配置されている請求項１から６のいずれか１項に記載の表示装置。
【請求項９】
外光の波長強度を検知する外光センサと、
前記光源の波長強度を検知する光源側光センサと、
前記外光センサと光源側光センサとにより検知されたそれぞれの波長強度に応じて、前記表示パネルの表示を制御する制御部と、を更に備えている請求項１から８のいずれか１項に記載の表示装置。
【請求項１０】
前記制御部は、前記外光センサにより検知された波長強度に応じて、前記光源を点灯する請求項９に記載の表示装置。
【請求項１１】
前記光源側光センサは、前記導光板を介して前記光源と対向する位置に設けられている
請求項９に記載の表示装置。
【発明の詳細な説明】
【技術分野】
【０００１】
本発明の実施形態は、表示装置に関する。
【背景技術】
【０００２】
スマートフォン、タブレットコンピュータ、カーナビゲーションシステム等に用いる表示装置として、液晶表示装置が広く用いられている。一般に、液晶表示装置は、液晶パネルと、この液晶パネルの背面あるいは前面に重ねて配置された照明装置（バックライトあるいはフロントライト）と、を備えている。照明装置は、導光板、導光板に入射する光を照射する光源等を有している。光源としては、例えば、白色発光ダイオード（ＬＥＤ）が多く用いられている。
【０００３】
白色ＬＥＤから発光される光は、いわゆるブルーライトと呼ばれる波長３８０〜４９５ｎｍの光を含んでいる。このブルーライトは、紫外線に最も近い性質を有し、眼球の角膜や水晶体で吸収されずに網膜まで到達する性質がある。そのため、ブルーライトを長時間見た場合は、目が疲れ易くなるなどの不具合が懸念される。そこで、このようなブルーライトを減光するための樹脂層（ブルーライトカット層）を、液晶パネルの表示面あるいは背面に重ねて設けた表示装置が提案されている。
【先行技術文献】
【特許文献】
【０００４】
【特許文献１】特開２０１４−２０２８６４号公報
【特許文献２】特開２００８−２８７０７０号公報
【発明の概要】
【発明が解決しようとする課題】
【０００５】
上述した表示装置では、ブルーライトを減光できる反面、表示画像の色味が変化し、例えば、黄色、オレンジ系の発色が強い表示画像となり易く、表示品位が低下する。  
ここで述べる実施形態の目的は、ブルーライトを低減しつつ、高い表示品位を維持することが可能な表示装置を提供することにある。
【課題を解決するための手段】
【０００６】
実施形態に係る表示装置は、表示面を有する表示パネルと、前記表示パネルの表示面に対向する出射面および前記出射面と交差した入射面を有する導光板と、前記入射面に光を入射する光源と、を有する照明装置と、前記光源と前記入射面との間に設けられ、所定波長範囲の光の透過を抑制するライトカット層と、を備えている。
【図面の簡単な説明】
【０００７】
【図１】図１は、第１の実施形態に係る液晶表示装置の分解斜視図。
【図２Ａ】図２Ａは、前記液晶表示装置の光源側部分の断面図。
【図２Ｂ】図２Ｂは、前記液晶表示装置の光源と反対側部分の断面図。
【図３】図３は、導光板の光源側端部および光源ユニットを概略的に示す平面図。
【図４】図４は、前記導光板に入射する照明光の波長分布を示す図。
【図５】図５は、前記液晶表示装置を概略的に示すブロック図。
【図６】図６は、第２の実施形態に係る液晶表示装置における前記光源と導光板との配置関係を概略的に示す断面図。
【図７】図７は、第２の実施形態に係る液晶表示装置の導光板の光源側端部および光源部を概略的に示す平面図。
【図８】図８は、変形例に係る液晶表示装置の導光板の光源側端部および光源部を概略的に示す平面図。
【図９】図９は、第３の実施形態に係る液晶表示装置におけるフロントライト装置の光源側部分を示す斜視図。
【図１０】図１０は、第３の実施形態に係る液晶表示装置の光源側部分の断面図。
【図１１】図１１は、第４の実施形態に係る表示装置の光源側部分の断面図。
【発明を実施するための形態】
【０００８】
以下、図面を参照しながら、この発明の実施形態について詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（第１の実施形態）  
図１は、第１の実施形態に係る液晶表示装置の分解斜視図、図２Ａは、前記液晶表示装置の光源側部分の断面図、図２Ｂは、前記液晶表示装置の光源と反対側部分の断面図である。  
液晶表示装置１０は、例えばスマートフォン、タブレット端末、ノートブックタイプＰＣ、携帯型ゲーム機、電子辞書、テレビ装置、カーナビゲーションシステムなどの各種の電子機器に組み込んで使用することができる。
【００１０】
図１に示すように、液晶表示装置（表示装置）１０は、アクティブマトリクス型の平板状の液晶表示パネル（以下、液晶パネル）１２と、液晶パネル１２の一方の平板面である表示面１２ａに対向して配置された照明装置としてのフロントライト装置３０と、フロントライト装置３０に重ねて配置され、液晶パネル１２の表示面１２ａおよびフロントライト装置３０を覆うカバーパネル１４と、を備えている。
【００１１】
図１および図２Ａに示すように、液晶パネル１２は、矩形平板状の第１基板ＳＵＢ１と、第１基板ＳＵＢ１に対向配置された矩形平板状の第２基板ＳＵＢ２と、第１基板ＳＵＢ１と第２基板ＳＵＢ２との間に保持された液晶層ＬＱと、を備えている。第２基板ＳＵＢ２の周縁部は、シール材ＳＥにより第１基板ＳＵＢ１に貼り合わされている。第２基板ＳＵＢ２の表面に偏光板ＰＬ２が貼付され、液晶パネル１２の表示面１２ａを形成している。第１基板ＳＵＢ１の表面（液晶パネル１２の背面）に偏光板ＰＬ１が貼付されている。
【００１２】
液晶パネル１２では、当該液晶パネル１２を平面視（表示面１２ａの法線方向から当該液晶パネルを視認する状態をいう。以下同様。）した状態でシール材ＳＥの内側となる領域に矩形状の表示領域（アクティブ領域）ＤＡが設けられ、該表示領域ＤＡに画像が表示される。表示領域ＤＡの周囲に、矩形枠状の額縁領域ＥＤが設けられている。液晶パネル１２は、外光およびフロントライト装置３０からの光を反射することで画像を表示する反射型の液晶パネルである。液晶パネル１２は、主として基板主面に沿った横電界を利用する横電界モード、あるいは、主として基板主面に交差する縦電界を利用する縦電界モードのいずれに対応する構成でもよい。
【００１３】
液晶パネル１２は、表示領域ＤＡにマトリクス状に配列された複数の画素ＰＸを備えている。図１に概略的に示すように、第１基板ＳＵＢ１は、表示領域ＤＡにおいて、第１方向Ｘに延出するゲート線Ｇ、第１方向Ｘと交差する第２方向Ｙに延出するソース線Ｓ、各画素ＰＸにおいてゲート線Ｇおよびソース線Ｓと電気的に接続されたスイッチング素子ＳＷ、スイッチング素子ＳＷに接続された画素電極ＰＥなどを備えている。コモン電位の共通電極ＣＥは、第１基板ＳＵＢ１または第２基板ＳＵＢ２に設けられ、複数の画素電極ＰＥと対向する。  
図２Ａに示すように、本実施形態によれば、第１基板ＳＵＢ１の内面上に、ソース線Ｓ、ゲート線Ｇ、スイッチング素子ＳＷを含む画素回路ＰＣ、反射電極からなる画素電極ＰＥ、および図示しない配向膜が形成されている。第２基板ＳＵＢ２の内面上に、カラーフィルタＣＦ、インジウム・ティン・オキサイド（ＩＴＯ）等の透明な導電膜からなる共通電極ＣＥ、および図示しない配向膜が設けられている。これら配向膜間に液晶層ＬＱが封入されている。  
このように本実施形態の液晶パネル１２は、画素電極ＰＥによって外光を反射することで表示を行う反射型である。
【００１４】
図示した例では、第１基板ＳＵＢ１の短辺側の端部にフレキシブルプリント回路基板（メインＦＰＣ）２３が接合され、液晶パネル１２から外方に延出している。メインＦＰＣ２３には、液晶パネル１２を駆動するのに必要な信号を供給する信号供給源として、ドライバＩＣ２４、コントローラを構成するＩＣチップ２５等の半導体素子が実装されている。
【００１５】
フロントライト装置３０は、光源となる外光が十分でない、或いは外光がない場合に画素電極ＰＥに反射光を供給する補助的な光源である。フロントライト装置３０は、図１および図２Ａに示す如く、矩形状の導光板ＬＧと、導光板ＬＧに照明光を入射させる光源ユニット３４と、導光板ＬＧの入射面と光源の発光面との間に設けられたブルーライトカット層（ライトカット層）ＢＣと、樹脂フレーム４０と、一対の光センサとを有している。導光板ＬＧは、出射面となる第１主面Ｓ１と、この第１主面Ｓ１に対向する第２主面Ｓ２と、一対の長辺側の側面と、一対の短辺側の側面と、を有している。本実施形態では、導光板ＬＧの短辺側の一側面を入射面ＥＦとしている。導光板ＬＧは、例えば、ポリカーボネイトやアクリル系、シリコン系等の透明な樹脂で形成されている。  
導光板ＬＧは、第１主面（出射面）Ｓ１が液晶パネル１２の表示面１２ａと対向した状態で、液晶パネル１２上に配置されている。第１主面Ｓ１は、例えば、光透過性を有する接着剤あるいは粘着剤ＡＤ１により偏光板ＰＬ２に貼付されている。入射面ＥＦは、液晶パネル１２に対してほぼ垂直に位置し、第２基板ＳＵＢ２の短辺とほぼ平行に延在している。後述するように、本実施形態では、入射面ＥＦにブルーライトカット層ＢＣが薄膜形成されている。
【００１６】
光源ユニット３４は、例えば、帯状の配線基板３６と、この配線基板３６上に並べて実装された複数の光源と、を備えている。光源としては、発光素子、例えば、発光ダイオード（ＬＥＤ）３８を用いている。ＬＥＤとしては、白色ＬＥＤあるいは疑似白色ＬＥＤ（青色ＬＥＤの発光面に黄色く蛍光する蛍光体を配したＬＥＤ）を用いることができる。配線基板３６は、フレキシブルプリント回路基板（ＦＰＣ）を用いている。複数のＬＥＤ３８は、ＦＰＣ３６に実装され、第１基板ＳＵＢ１の短辺に沿って並んで配置されている。各ＬＥＤ３８は、ＦＰＣ３６に実装された実装面３８ｂと、ＦＰＣ３６に対してほぼ垂直に位置する発光面３８ａとを有している。
【００１７】
ＦＰＣ３６は、入射面ＥＦに沿って延在している。ＦＰＣ３６の一側縁部は、例えば、両面テープＴＰ１により、導光板ＬＧ、第２主面Ｓ２の光源側端部に貼付されている。ＦＰＣ３６の他側縁部は、両面テープＴＰ２により、樹脂フレーム４０に貼付されている。これにより、ＦＰＣ３６は、導光板ＬＧの第２主面Ｓ２とほぼ同一平面に並んで配置されている。  
図３は、導光板ＬＧの光源側端部および光源ユニット３４を概略的に示す平面図である。図２Ａおよび図３に示すように、複数のＬＥＤ３８は、入射面ＥＦに沿って所定の間隔を置いて並んでいる。ＬＥＤ３８は、発光面３８ａが導光板ＬＧの入射面ＥＦと隣接対向した状態に配置される。本実施形態では、発光面３８ａは、ブルーライトカット層ＢＣに隣接対向あるいは平行に当接している。
【００１８】
図１および図２Ａ、２Ｂに示すように、カバーパネル１４は、例えば、ガラス板あるいはアクリル系の透明樹脂等により、矩形平板状に形成されている。カバーパネル１４の下面（裏面、液晶パネル側の面））は、例えば、透明な接着剤あるいは粘着剤からなる粘着層ＡＤ２により、導光板ＬＧの第２主面Ｓ２に貼付されている。これにより、カバーパネル１４は、フロントライト装置３０および液晶パネル１２の表示面１２ａの全面を覆っている。  
カバーパネル１４の下面（裏面、液晶パネル側の面）に枠状の遮光層ＲＳが形成されている。カバーパネル１４において、液晶パネル１２の表示領域ＤＡと対向する領域以外の領域は、遮光層ＲＳにより遮光されている。遮光層ＲＳは、カバーパネル１４の上面（外面）に形成してもよい。なお、カバーパネル１４は、液晶表示装置１０の使用状況に応じて、省略してもよい。  
フロントライト装置３０の樹脂フレーム４０は、例えば、両面テープＴＰ３により、カバーパネル１４の遮光領域に貼付されている。更に、光源側端部において、光源ユニット３４のＦＰＣ３６は、スペーサＳＰを挟んで遮光層ＲＳに当接している。
【００１９】
次に、ブルーライトカット層（ライトカット層）ＢＣについて詳細に説明する。ブルーライトカット層ＢＣは、紫外線もしくは可視光によって硬化する光硬化性樹脂や、透明エポキシ樹脂などからなるベース樹脂に着色材を所定量混合した透明材料で構成されている。  
ベース樹脂は、導光板ＬＧの光透過率を低下させないように、硬化後の光透過率（波長４００ｎｍ以上）が９０％以上であるものを選択することが望ましい。このようなベース樹脂としては、モノマー、重合開始剤、光硬化性樹脂、あるいは透明エポキシ樹脂などを挙げることができる。  
着色材としては、ペリレン系色素、アゾ系色素などを挙げることができる。上記着色材は、それぞれをエチルアルコールに所定濃度で溶解し、ベース樹脂と混合する。例えば、ベース樹脂として光硬化性樹脂、着色材としてペリレン系色素を用いる場合、着色材料を０．１重量％の割合となるようにエチルアルコールに溶解し、さらにベース樹脂に対して０．１重量％となるように着色材溶解液に混合し、ベース樹脂に対して着色材が０．０１重量％となるように樹脂材料を調製する。
【００２０】
上記樹脂材料は、導光板ＬＧの入射面ＥＦの全面に塗布され、ブルーライトカット層ＢＣを形成する。塗布方法としては、ディスペンサー塗布、スロットダイコート塗布、スリットコーター塗布、スクリーン印刷、スピンコートなどを挙げることができる。  
樹脂材料の塗布厚さは、ベース樹脂に混合する着色材の濃度に合わせて設定する必要がある。例えばベース樹脂として光硬化性樹脂、着色材としてペリレン系色素を用いる場合、樹脂材料の塗布厚さを１５０〜２５０μｍ程度とすることが望ましく、２００μｍがより望ましい。塗布した樹脂材料を硬化させるには、例えば、窒素雰囲気中で、樹脂材料に紫外線を照射することにより、表面まで硬化した樹脂層、すなわち、ブルーライトカット層ＢＣを得ることができる。
【００２１】
ＬＥＤ３８の発光面３８ａから出射された照明光は、ブルーライトカット層ＢＣを透過した後、導光板ＬＧの入射面ＥＦに入射する。図４は、照明光の分光特性を示している。図４において、実線は、ＬＥＤ３８の出射光の分光特性を示し、破線は、ブルーライトカット層ＢＣを透過した後の照明光の分光特性を示している。図示のように、ブルーライトカット層ＢＣを透過することにより、ブルーライトの波長である３８０〜４９５ｎｍの光強度のピーク値を、ブルーライトカット層ＢＣを設けない場合に比較して、２５〜４０％程度、低下させることができる。このように、ブルーライトカット層ＢＣは、波長３８０〜４９５ｎｍの光の透過率が６０〜７５％であり、ブルーライトの透過を抑制する、すなわち、ブルーライトを２５〜４０％カットする機能を有している。
【００２２】
なお、ブルーライトカット層ＢＣは、上述したベース樹脂および着色材に限定されることなく、他の種々の材料を選択可能である。ブルーライトカット層ＢＣの透過率、すなわち、ブルーライトのカット率は、上述した値に限定されることなく、着色材の濃度を調整することにより、任意のカット率に調整可能である。  
ブルーライトカット層ＢＣは、入射面ＥＦの全面に均一の厚さで形成する構成としているが、これに限定されることはない。ブルーライトカット層ＢＣは、場所により、厚さを変えてもよく、あるいは、全面に限らず、入射面ＥＦの複数個所に設ける構成としてもよい。一般に、ＬＥＤの分光特性は、均一ではなく、個々のＬＥＤによって分光特性が異なる（ばらつく）場合がある。そのため、個々のＬＥＤの分光特性に応じて、ブルーライトカット層ＢＣの厚さあるいは設置位置を変えてもよい。例えば、ブルーライトカット層ＢＣにおいて、ブルーライトの発光強度が高いＬＥＤと対向する領域は、他の領域よりも厚く形成してもよい。また、ブルーライトの発光強度が低いＬＥＤと対向する領域では、ブルーライトカット層ＢＣを他の領域よりも薄く形成する、あるいは、ブルーライトカット層を省略する構成としてもよい。
【００２３】
図１および図２Ｂに示すように、一対の光センサは、光源側光センサ５４ａと外光センサ５４ｂであって、いずれも導光板ＬＧの入射面ＥＦと反対側となる側面ＳＦの近傍に設けられている。光源側光センサ５４ａは、受光面を当該側面ＳＦに向けた状態で配置されている。すなわち、光源側光センサ５４ａは、導光板ＬＧを介して光源（ＬＥＤ３８）と対向する位置に設けられている。これにより、光源側光センサ５４ａは、ブルーライトカット層ＢＣおよび導光板ＬＧを通過してくるＬＥＤ光源からの光を受光し、光の波長や強さを検知する。  
また、外光センサ５４ｂは、受光面をカバーパネル１４の背面に向けた状態で配置されている。遮光層ＲＳは、外光センサ５４ｂの受光面に対向する位置に開口部５５を有している。この外光センサ５４ｂは、カバーパネル１４を通過してくる外光を受光し、その光の波長や強度を検知する。  
光源側光センサ５４ａおよび外光センサ５４ｂは、いずれも後述のコントローラ５６に接続されている。これらの光センサ５４ａ、５４ｂは、上述の如く光の波長や強度を検知する構成でも構わないし、受光した光を信号データ（ＲＡＷデータ）に変換した後にコントローラ５６に出力する構成でも構わない。後者の場合、コントローラ５６にて当該信号に基づいて各光の波長や強度を算出するものとなる。
【００２４】
以上のように構成された液晶表示装置１０は、明るい室内や外で使用する場合、カバーパネル１４、導光板ＬＧを通して液晶パネル１２に入射した外光を、液晶パネル１２の反射膜ＲＦで反射し、この反射光を用いて液晶パネル１２の表示画像を表示面１２ａに表示する。また、暗い場所で使用する場合には、光源ユニット３４のＬＥＤ３８を点灯し、ＬＥＤ３８からの出射光を用いて液晶パネル１２の表示画像を表示面１２ａに表示する。すなわち、ＬＥＤ３８の発光面３８ａから出射した光は、ブルーライトカット層ＢＣを透過し、入射面ＥＦから導光板ＬＧに入射する。この際、ブルーライトカット層ＢＣにより、入射光のうちのブルーライトが２５〜４０％カットされる。入射光は、導光板ＬＧ内を伝搬するとともに第１主面Ｓ２で反射され、第１主面Ｓ１から液晶パネル１２に向けて照射される。照射された光は、液晶パネル１２の反射膜ＲＦで反射することにより、この反射光を用いて液晶パネル１２の表示画像を表示面１２ａに表示する。  
以上のように、導光板ＬＧの入射面と光源との間にブルーライトカット層ＢＣを設けることにより、ＬＥＤ３８から導光板ＬＧに入射する照明光のブルーライト成分を低減し、目に優しい画像表示を実現することが可能となる。また、外光反射により画像を表示する際、外光は、ブルーライトカット層ＢＣを透過しない。そのため、ブルーライトカット層ＢＣが画像表示に影響することがなく、表示画像の色味の変化を抑制し、高い表示品位を維持することができる。これにより、本実施形態によれば、ブルーライトを低減しつつ、表示品位の高い画像を表示可能な液晶表示装置が得られる。
【００２５】
一方、本実施形態に係る液晶表示装置１０は、外光の波長強度およびフロントライト装置の波長別光強度に応じて、表示画像を最適な表示に調整するように構成されている。図５は、液晶表示装置の全体構成を概略的に示している。図示のように、液晶表示装置１０は、液晶パネル１２の画素を駆動する表示駆動回路５０と、光源ユニット３４のＬＥＤ３８を駆動する光源駆動回路５２と、光源ユニット３４の光の波長別強度（明るさ）を検出する光源側光センサ５４ａと、外光の波長別強度（明るさ）を検出する外光センサ５４ｂと、表示駆動回路５０および光源駆動回路５２を制御するコントローラ（制御部）５６と、を備えている。  
表示駆動回路５０は、ドライバＩＣ２４と、第１基板ＳＵＢ１上に形成されたゲート駆動回路及び信号線駆動回路とを備えている（いずれも図示省略）。また、コントローラ５６及び光源駆動回路５２は、ＦＰＣ２３上のＩＣチップ２５に組み込まれ、ドライバＩＣ２４の隣に設けられている。なお、これらコントローラ５６と光源駆動回路５２のいずれか一方あるいは両方がドライバＩＣに組み込まれる構成を採用することも可能である。
【００２６】
コントローラ５６は、外光センサ５４ｂで検出された波長別光強度（明るさ）に応じて、光源駆動回路５２によりＬＥＤ３８を点灯あるいは消灯する。例えば、外光センサ５４ｂにより所定以上の明るさが検出された場合、ＬＥＤ３８を点灯させることなく、表示駆動回路５０により液晶パネル１２を駆動し、画像を表示する。この際、コントローラ５６は、外光の明るさに応じた最適な表示状態に液晶パネル１２の駆動を制御する。例えば、蛍光灯からの光が外光の主要部分を占める等、ブルーライトの発強度が高い場合、青色画素への印加電圧を低減して、青色画素の光透過率を低減し、表示画像全体の色合いを調整する。
【００２７】
外光センサ５４ｂにより所定以上の明るさが検出されない場合、すなわち、暗い場合、コントローラ５６は、光源駆動回路５２によりＬＥＤ３８を駆動および点灯し、表示駆動回路５０により液晶パネル１２を駆動する。これにより、ＬＥＤ３８からの照明光および外光により、液晶パネル１２の画像を表示する。また、ＬＥＤ３８からの照明光は、ブルーライトカット層ＢＣおよび導光板ＬＧを介して、光源側光センサ５４ａにより検知される。この際、コントローラ５６は、外光センサ５４ｂ及び光源側光センサ５４ａにより検出されたそれぞれの光の明るさ（波長別強度）に応じて、液晶パネル１２のＲＧＢ表示を調整し、最適な色味の表示画像を設定する。  
以上のように、本実施形態に係る液晶表示装置によれば、ブルーライトを低減しつつ、外光およびフロントライト装置の照明に応じて最適な画像表示を行うことが可能となる。
【００２８】
次に、他の実施形態に係る液晶表示装置について説明する。なお、以下に説明する他の実施形態において、前述した第１の実施形態と同一の部分には、同一の参照符号を付してその詳細な説明を省略あるいは簡略化し、第１の実施形態と異なる部分を中心に詳しく説明する。
【００２９】
（第２の実施形態）  
図６は、第２の実施形態に係る液晶表示装置におけるフロントライト装置の光源側部分を示す断面図、図７は、光源側部分を概略的に示す平面図である。  
図６および図７に示すように、本実施形態によれば、ブルーライトカット層は、ＬＥＤ３８の発光面３８ａ上に設けられている。ブルーライトカット層ＢＣは、複数のＬＥＤ３８の各々の発光面３８ａに薄膜形成され、導光板ＬＧの入射面ＥＦと隣接対向している。本実施形態では、ブルーライトカット層ＢＣは、全てのＬＥＤ３８の発光面３８ａ上に、一定の厚さで形成され、それぞれ共通の透過率を有している。  
第２の実施形態において、液晶表示装置の他の構成は、前述した第１の実施形態に係る液晶表示装置と同一である。第２の実施形態においても、ブルーライトを低減しつつ、表示品位の高い液晶表示装置を得ることができる。
【００３０】
第２の実施形態において、ブルーライトカット層ＢＣの層厚、および形成箇所は、任意に変更可能である。前述したように、ＬＥＤ３８の分光特性は、ＬＥＤごとにバラツキが生じる場合がある。そのため、個々のＬＥＤの分光特性に応じて、ブルーライトカット層ＢＣの層厚、および形成箇所を選択可能である。  
図８（Ａ）、８（Ｂ）、８（Ｃ）は、それぞれ変形例に係るフロントライト装置の光源側部分を概略的に示す平面図である。  
図８（Ａ）に示すように、第１変形例によれば、複数のＬＥＤ３８の内、ブルーライト波長強度の比較的低いＬＥＤ３８Ａについては、ブルーライトカット層ＢＣの形成を省略している。  
図８（Ｂ）に示すように、第２変形例によれば、複数のＬＥＤ３８の内、ブルーライト波長強度の比較的低いＬＥＤ３８Ａについては、ブルーライトカット層ＢＣの層厚を、他のブルーライトカット層ＢＣの層厚よりも薄く形成している。  
図８（Ｃ）に示すように、第３変形例によれば、複数のＬＥＤ３８の内、ブルーライト波長強度の比較的低いＬＥＤ３８Ａについては、発光面３８ａの全面ではなく、例えば、半分の領域にブルーライトカット層ＢＣを形成している。
【００３１】
（第３の実施形態）  
図９は、第３の実施形態に係る液晶表示装置におけるフロントライト装置の光源側部分を示す斜視図、図１０は、光源側部分を概略的に示す断面図である。  
図９および図１０に示すように、本実施形態によれば、フロントライト装置３０は、シート状あるいはフィルム状のブルーライトカット層ＢＣを用いている。例えば、透明なフィルムに前述したブルーライトカット層ＢＣを形成することにより、ブルーライトカットシートＢＣＦを構成している。ブルーライトカットシートＢＣＦは、導光板ＬＧの入射面ＥＦとＬＥＤ３８の発光面３８ａとの間に配置されている。
【００３２】
一例では、ブルーライトカットシートＢＣＦは、例えば、帯状に形成され、導光板ＬＧの入射側端部に固定されている。ブルーライトカットシートＢＣＦの幅方向中央部は、入射面ＥＦに密着し、入射面ＥＦを覆っている。ブルーライトカットシートＢＣＦの両側縁部は、それぞれ導光板ＬＧ側に折曲げられ、両面テープＴＰ４、ＴＰ５により、第１主面Ｓ１の端部および第２主面Ｓ２の端部に貼付されている。第２主面Ｓ２側において、光源ユニット３４のＦＰＣ３６は、その一部がブルーライトカットシートＢＣＦの側縁部に重ねて貼付されている。なお、ブルーライトカットシートＢＣＦは、フィルム側が導光板ＬＧに接触してもよいし、ブルーライトカット層ＢＣ側が導光板ＬＧに接触するように配置されてもよい。
【００３３】
第３の実施形態において、フロントライト装置および液晶表示装置の他の構成は、前述した第１の実施形態に係る液晶表示装置と同一である。第３の実施形態のようにシート状のブルーライトカット層を用いた場合でも、ブルーライトを低減しつつ、表示品位の高い液晶表示装置を得ることができる。  
なお、上述した第３の実施形態において、ブルーライトカットシートＢＣＦは、入射面ＥＦ全面を覆う大きさに限定することなく、入射面の任意の領域を部分的に覆う形状としてもよい。
【００３４】
（第４の実施形態）  
図１１は、第４の実施形態に係る表示装置の光源側端部の断面図である。図示のように、第４の実施形態によれば、表示装置１０の表示パネルとして、電気泳動素子を有する表示パネル１２を用いている。  
表示パネル１２は、矩形平板状の第１基板ＳＵＢ１と、第１基板ＳＵＢ１に対向配置された矩形平板状の第２基板ＳＵＢ２と、第１基板ＳＵＢ１と第２基板ＳＵＢ２との間に保持された電気泳動素子７０と、を備えている。第２基板ＳＵＢ２の周縁部は、シール材ＳＥにより第１基板ＳＵＢ１に貼り合わされている。第２基板ＳＵＢ２の表面にバリア層ＢＡ２が貼付され、表示面１２ａを構成している。第１基板ＳＵＢ１の表面（表示パネル１２の背面）にバリア層ＢＡ１が貼付されている。
【００３５】
第１基板ＳＵＢ１の内面上に、ソース線、ゲート線、スイッチング素子を含む画素回路ＰＣ、反射電極からなる画素電極ＰＥが形成されている。第２基板ＳＵＢ２の内面上に、ＩＴＯ等の透明な導電膜からなる共通電極ＣＥが設けられている。電気泳動素子７０は、第１基板ＳＵＢ１と第２基板ＳＵＢ２との間のほぼ全域に亘って分散配置された多数のマイクロカプセル６０を備えている。電気泳動素子７０は、それぞれ透明樹脂で形成され対向配置された一対のフィルムと、これらのフィルム間に分散配置されたマイクロカプセルとを有する、シート状の電気泳動素子を採用することも可能である。
【００３６】
各マイクロカプセル６０は、例えば、５０〜１００μｍ程度の粒径を有している。マイクロカプセル６０は、球状の外皮６２と、外皮６２内に収容された複数の白色粒子（電気泳動粒子）６０ａ、複数の黒色粒子（電気泳動粒子）６０ｂ、および分散媒６４と、を有している。図示の例では、模式的に少数に示しているが、マイクロカプセル６０は、１つの画素電極ＰＥと対向する領域に１つあるいは複数個、設けられている。マイクロカプセル６０は、表示領域ＤＡの全域に亘って、分散配置されている。  
白色粒子６０ａおよび黒色粒子６０ｂに代えて、例えば赤色、緑色、青色、イエロー、シアン、マゼンタなどの顔料を用いてもよい。かかる構成によれば、表示面１２ａに赤色、緑色、青色、イエロー、シアン、マゼンタなどを表示することができる。あるいは、白色粒子、黒色粒子に加えて、上記のいずれかの色からなる粒子をマイクロカプセル内に設ける構成も採用可能である。  
表示パネル１２は、例えば、光透過性を有する接着剤あるいは粘着剤ＡＤ１により、導光板ＬＧの第１主面Ｓ１に貼付される。第４の実施形態において、表示装置の他の構成、例えば、フロントライト装置３０、カバーパネル１４の構成は、前述した第１の実施形態に係る液晶表示装置と同一である。第４の実施形態においても、ブルーライトを低減しつつ、表示品位の高い液晶表示装置を得ることができる。
【００３７】
本発明のいくつかの実施形態および変形例を説明したが、これらの実施形態および変形例は、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形例は、発明の範囲や要旨に含まれるとともに、特許請求の範囲に記載された発明とその均等の範囲に含まれる。
【００３８】
本発明の実施形態として上述した各構成を基にして、当業者が適宜設計変更して実施し得る全ての構成及び製造工程も、本発明の要旨を包含する限り、本発明の範囲に属する。また、上述した実施形態によりもたらされる他の作用効果について本明細書の記載から明らかなもの、又は当業者において適宜想到し得るものついては、当然に本発明によりもたらされるものと解される。  
例えば、ＬＥＤは、サイドビュー型に限らず、トップビュー型のＬＥＤを用いることも可能である。ＬＥＤは、白色発光のＬＥＤに限らず、ＲＧＢの有色発光するＬＥＤを用いても良い。この場合、外光の波長別強度に応じて、フロントライト装置の発光を制御し、表示画像の色合いを調整することが可能となる。  
【００３９】
表示パネル、およびフロントライト装置の構成部材の外形状および内形状は、矩形状に限定されることなく、外形あるいは内径のいずれか一方あるいは両方を平面視多角形状や円形、楕円形、およびこれらを組み合わせた形状等の他の形状としてもよい。また、液晶パネルは、平坦なパネルに限定されることなく、その一部あるいは全部が湾曲したパネルとしてもよい。構成部材の材料は、上述した例に限らず、種々選択可能である。
【符号の説明】
【００４０】
１０…表示装置、１２…表示パネル、１４…カバーパネル、  
３０…フロントライト装置、３４…光源ユニット、３６…配線基板（ＦＰＣ）、  
３８…光源（ＬＥＤ）、３８ａ…発光面、ＳＵＢ１…第１基板、  
ＳＵＢ２…第２基板、ＬＱ…液晶層、ＬＧ…導光板、ＥＦ…入射面、  
ＢＣ…ブルーライトカット層、ＤＡ…表示領域、ＥＤ…額縁領域
【図１】
2019109429.tif 000003
【図２Ａ】
2019109429.tif 000004
【図２Ｂ】
2019109429.tif 000005
【図３】
2019109429.tif 000006
【図４】
2019109429.tif 000007
【図５】
2019109429.tif 000008
【図６】
2019109429.tif 000009
【図７】
2019109429.tif 000010
【図８】
2019109429.tif 000011
【図９】
2019109429.tif 000012
【図１０】
2019109429.tif 000013
【図１１】
2019109429.tif 000014